(57)【要約】【課題】  字幕放送番組以外の番組のデジタルテレビ放送波に字幕データが含まれていると誤判断するのを確実に防止できる携帯情報端末装置を提供することを目的とする。【解決手段】  ＰＥＳ生成部１３が、デジタルテレビ放送波から抽出した複数のＴＳ(Transport Stream)パケットをデータ種別ごとに結合することにより、字幕データからなるＰＥＳ(Packetized Elementary Stream)を生成する。字幕管理データ検出部１８が、字幕データに定期的に含まれる字幕管理データの有無を検出し、その検出結果に基づいて字幕出力部１６が字幕を出力する。これにより、字幕放送番組以外の番組のデジタルテレビ放送波を受信した場合には、字幕管理データが検出されないことに基づいて字幕を出力しないように制御することができ、当該デジタルテレビ放送波に字幕データが含まれていると誤判断するのを確実に防止できる。【選択図】  図２
2008099053.tif 000002
【特許請求の範囲】
【請求項１】
デジタルテレビ放送波を受信するデジタルテレビ放送受信手段と、
受信したデジタルテレビ放送波から複数のパケットを抽出するパケット抽出手段と、
上記パケット抽出手段により抽出された複数のパケットをデータ種別ごとに結合することにより、映像データ及び字幕データをそれぞれ生成する結合データ生成手段と、
上記結合データ生成手段により生成される字幕データに基づいて字幕を出力する字幕出力手段と、
上記結合データ生成手段により生成される字幕データに定期的に含まれる字幕に関する制御情報の有無を検出する制御情報検出手段とを備え、
上記字幕出力手段は、上記制御情報検出手段の検出結果に基づいて字幕を出力することを特徴とする携帯情報端末装置。
【請求項２】
上記字幕出力手段により出力される字幕を字幕表示領域に表示させるとともに、上記制御情報検出手段の検出結果に基づいて、字幕以外の画像を上記字幕表示領域に表示させる表示制御手段を備えたことを特徴とする請求項１に記載の携帯情報端末装置。
【請求項３】
上記表示制御手段は、上記結合データ生成手段により生成される映像データに基づく映像を映像表示領域に表示させるとともに、上記制御情報検出手段の検出結果に基づいて、上記映像表示領域及び上記字幕表示領域からなる第１表示領域に、上記結合データ生成手段により生成される映像データに基づく映像を表示させることを特徴とする請求項２に記載の携帯情報端末装置。
【請求項４】
上記結合データ生成手段は、上記パケット抽出手段により抽出された複数のパケットをデータ種別ごとに結合することにより、上記映像データ及び上記字幕データとは異なるデータ放送用データを生成し、
上記表示制御手段は、上記結合データ生成手段により生成されるデータ放送用データに基づく画像をデータ放送表示領域に表示させるとともに、上記制御情報検出手段の検出結果に基づいて、上記字幕表示領域及び上記データ放送表示領域からなる第２表示領域に、上記結合データ生成手段により生成されるデータ放送用データに基づく画像を表示させることを特徴とする請求項２に記載の携帯情報端末装置。
【発明の詳細な説明】
【技術分野】
【０００１】
本発明は、携帯情報端末装置に係り、さらに詳しくは、デジタルテレビ放送を視聴することができる携帯情報端末装置の改良に関する。
【背景技術】
【０００２】
携帯電話機などの携帯情報端末装置の中には、テレビ局から発信されているデジタルテレビ放送波を受信するためのアンテナを備え、受信したデジタルテレビ放送波に基づいて表示画面に映像を表示するとともに、その映像に対応する音声を出力することにより、デジタルテレビ放送を視聴することができるようになっているものがある。
【０００３】
この種の携帯情報端末装置の一例として、デジタルテレビ放送の映像に対応する字幕を表示画面に表示させることができるようになっているものがある（例えば、特許文献１）。このような携帯情報端末装置を用いて字幕放送番組のデジタルテレビ放送波を受信した場合には、表示画面に映像表示領域及び字幕表示領域が割り当てられ、受信したデジタルテレビ放送波に含まれる映像データに基づく映像が映像表示領域に表示されるとともに、字幕データに基づく字幕が字幕表示領域に表示される。
【０００４】
映像データや字幕データは、データ種別ごとに複数のパケットに分割されることにより、いわゆるＴＳ(Transport Stream)パケットとして発信される。字幕放送番組のデジタルテレビ放送波を受信した携帯情報端末装置は、そのデジタルテレビ放送波から複数のＴＳパケットを抽出し、各ＴＳパケットに含まれるＰＩＤ(Packet Identifier)に基づいて、複数のＴＳパケットをデータ種別ごとに結合することにより、映像データ及び字幕データをそれぞれ生成する。
【０００５】
ここで、映像データや字幕データといったデータ種別とＰＩＤとの対応関係は、番組ごとに異なるデータで構成されるＰＭＴ(Program Map Table)により規定されている。このＰＭＴはテレビ局から番組ごとに定期的に発信され、携帯情報端末装置が予め受信しているＰＭＴに基づいてＰＩＤごとにＴＳパケットを結合することにより、各ＰＩＤに対応する映像データや字幕データを生成することができる。
【０００６】
一方、字幕放送番組以外の番組のデジタルテレビ放送波を受信した場合には、天気予報などの字幕以外の情報を表示するためのデータ放送表示領域を字幕表示領域の代わりに表示画面に割り当てることにより、いわゆるデータ放送を行うことができる。このように、字幕を表示しないときには、字幕表示領域の代わりにデータ放送表示領域を表示画面に割り当てて字幕以外のデータ放送を行うことにより、不必要な表示領域が割り当てられるのを防止し、表示画面に対して効率よく表示を行うことができる。
【特許文献１】特開２００６−２１１４３１号公報
【発明の開示】
【発明が解決しようとする課題】
【０００７】
従来の携帯情報端末装置では、受信したＰＭＴに字幕データのＰＩＤが規定されている場合に、表示画面に字幕表示領域が割り当てられるようになっている。したがって、字幕放送番組のデジタルテレビ放送波が発信されているときには、その番組に対応付けて定期的に発信されるＰＭＴを受信することにより、そのＰＭＴに規定されている字幕データのＰＩＤに基づいて、表示画面に字幕表示領域が常に割り当てられた状態となる。
【０００８】
しかしながら、字幕放送番組以外の番組のデジタルテレビ放送波が発信されているときに、その番組に対応付けて定期的に発信されるＰＭＴに字幕データのＰＩＤが誤って規定されている場合がある。このような場合、ＰＭＴを受信した携帯情報端末装置では、受信している字幕放送番組以外の番組のデジタルテレビ放送波に字幕データが含まれていると誤って判断し、字幕が表示されないにも関わらず字幕表示領域を常に表示した状態となってしまう。この場合、字幕放送番組以外の番組においては不必要な字幕表示領域が表示画面に割り当てられることとなり、表示画面に対して効率よく表示を行うことができない。
【０００９】
そこで、受信したデジタルテレビ放送波に基づいて生成される字幕データに、字幕表示領域に表示させる字幕が含まれているか否かに基づいて、字幕表示領域の表示及び非表示を切り替えるような構成が考えられる。このような構成によれば、字幕放送番組以外の番組のＰＭＴに、字幕データに対応付けられたＰＩＤが規定されているような場合であっても、字幕表示領域を非表示とし、代わりにデータ放送表示領域などの他の表示を行うことができる。
【００１０】
しかし、上記のような構成では、字幕放送番組の途中でコマーシャルが放送される場合のように、字幕が表示されない期間がある場合に、字幕表示領域がデータ放送表示領域などの他の表示に一旦切り替わり、その期間が終了すると再び字幕表示領域に切り替わるといった現象が生じる。この場合、表示画面に割り当てられる表示領域が頻繁に切り替わるため、表示画面が見づらくなるといった問題がある。
【００１１】
本発明は、上記の事情に鑑みてなされたものであり、字幕放送番組以外の番組のデジタルテレビ放送波に字幕データが含まれていると誤判断するのを確実に防止できる携帯情報端末装置を提供することを目的とする。また、本発明は、表示画面に対して効率よく表示を行うことができる携帯情報端末装置を提供することを目的とする。また、本発明は、表示画面が見づらくなるのを防止できる携帯情報端末装置を提供することを目的とする。
【課題を解決するための手段】
【００１２】
第１の本発明による携帯情報端末装置は、デジタルテレビ放送波を受信するデジタルテレビ放送受信手段と、受信したデジタルテレビ放送波から複数のパケットを抽出するパケット抽出手段と、上記パケット抽出手段により抽出された複数のパケットをデータ種別ごとに結合することにより、映像データ及び字幕データをそれぞれ生成する結合データ生成手段と、上記結合データ生成手段により生成される字幕データに基づいて字幕を出力する字幕出力手段と、上記結合データ生成手段により生成される字幕データに定期的に含まれる字幕に関する制御情報の有無を検出する制御情報検出手段とを備え、上記字幕出力手段が、上記制御情報検出手段の検出結果に基づいて字幕を出力するように構成される。
【００１３】
このような構成によれば、字幕データに定期的に含まれる上記制御情報の有無を検出し、その検出結果に基づいて字幕を出力することができる。したがって、字幕放送番組以外の番組のデジタルテレビ放送波を受信した場合には、上記制御情報が検出されないことに基づいて字幕を出力しないように制御することができ、当該デジタルテレビ放送波に字幕データが含まれていると誤判断するのを確実に防止できる。
【００１４】
第２の本発明による携帯情報端末装置は、上記構成に加えて、上記字幕出力手段により出力される字幕を字幕表示領域に表示させるとともに、上記制御情報検出手段の検出結果に基づいて、字幕以外の画像を上記字幕表示領域に表示させる表示制御手段を備えて構成される。
【００１５】
このような構成によれば、字幕データに定期的に含まれる上記制御情報の有無を検出し、その検出結果に基づいて字幕以外の画像を字幕表示領域に表示させることができる。したがって、字幕放送番組以外の番組のデジタルテレビ放送波を受信した場合には、字幕以外の画像を字幕表示領域に表示させることにより、表示画面に対して効率よく表示を行うことができる。
【００１６】
また、字幕表示領域に表示させる字幕の有無ではなく、字幕データに定期的に含まれる上記制御情報の有無の検出結果に基づいて、字幕以外の画像を字幕表示領域に表示させることができる。したがって、字幕放送番組の途中でコマーシャルが放送される場合のように、字幕が表示されない期間がある場合には、上記制御情報の有無の検出結果に基づいて、字幕表示領域に字幕以外の画像が表示されるのを防止できる。これにより、字幕が表示されない期間がある場合に、字幕表示領域が他の表示に一旦切り替わり、その期間が終了すると再び字幕表示領域に字幕が表示されるといったことがなく、表示画面が見づらくなるのを防止できる。
【００１７】
第３の本発明による携帯情報端末装置は、上記構成に加えて、上記表示制御手段が、上記結合データ生成手段により生成される映像データに基づく映像を映像表示領域に表示させるとともに、上記制御情報検出手段の検出結果に基づいて、上記映像表示領域及び上記字幕表示領域からなる第１表示領域に、上記結合データ生成手段により生成される映像データに基づく映像を表示させるように構成される。
【００１８】
このような構成によれば、字幕放送番組以外の番組のデジタルテレビ放送波を受信した場合には、上記制御情報の有無の検出結果に基づいて、映像表示領域及び字幕表示領域からなる第１表示領域に映像データに基づく映像を表示させることができる。したがって、字幕放送番組以外の番組のデジタルテレビ放送波を受信しているときには、映像表示領域だけでなく字幕表示領域も加えた第１表示領域に映像データに基づく映像が表示され、より広い領域に映像を表示することができる。
【００１９】
第４の本発明による携帯情報端末装置は、上記構成に加えて、上記結合データ生成手段が、上記パケット抽出手段により抽出された複数のパケットをデータ種別ごとに結合することにより、上記映像データ及び上記字幕データとは異なるデータ放送用データを生成し、上記表示制御手段が、上記結合データ生成手段により生成されるデータ放送用データに基づく画像をデータ放送表示領域に表示させるとともに、上記制御情報検出手段の検出結果に基づいて、上記字幕表示領域及び上記データ放送表示領域からなる第２表示領域に、上記結合データ生成手段により生成されるデータ放送用データに基づく画像を表示させるように構成される。
【００２０】
このような構成によれば、字幕放送番組以外の番組のデジタルテレビ放送波を受信した場合には、上記制御情報の有無の検出結果に基づいて、字幕表示領域及びデータ放送表示領域からなる第２表示領域にデータ放送用データに基づく画像を表示させることができる。したがって、字幕放送番組以外の番組のデジタルテレビ放送波を受信しているときには、データ放送表示領域だけでなく字幕表示領域も加えた第２表示領域にデータ放送用データに基づく画像が表示され、より広い領域に画像を表示することができる。
【発明の効果】
【００２１】
本発明によれば、字幕データに定期的に含まれる字幕に関する制御情報の有無を検出し、その検出結果に基づいて字幕を出力することにより、字幕放送番組以外の番組のデジタルテレビ放送波に字幕データが含まれていると誤判断するのを確実に防止できる。また、字幕放送番組以外の番組のデジタルテレビ放送波を受信した場合に、字幕以外の画像を字幕表示領域に表示させることにより、表示画面に対して効率よく表示を行うことができる。また、字幕表示領域に表示させる字幕の有無ではなく、字幕データに定期的に含まれる上記制御情報の有無の検出結果に基づいて、字幕以外の画像を字幕表示領域に表示させることにより、表示画面が見づらくなるのを防止できる。
【発明を実施するための最良の形態】
【００２２】
実施の形態１．
図１は、本発明の実施の形態１による携帯情報端末装置の一例を示したブロック図であり、携帯情報端末装置の一例として携帯電話機１が示されている。この携帯電話機１は、テレビ用アンテナ２Ａからデジタルテレビ放送波を受信するデジタルテレビ放送受信部２を備え、受信したデジタルテレビ放送波に基づいて液晶表示器３の表示画面に映像を表示するとともに、その映像に対応する音声をスピーカ４から出力することにより、デジタルテレビ放送を視聴することができるようになっている。
【００２３】
この携帯電話機１は、上述したデジタルテレビ放送受信部２、液晶表示器３及びスピーカ４に加えて、セルラー通信部５、受話用レシーバ６、外部出力端子７、送話用マイクロホン８、操作キー９及びメモリ２０を備え、これらの動作が、プロセッサからなる制御部１０により制御されるようになっている。外部出力端子７には、必要に応じて、イヤホンなどの外部出力装置１１を取り付けることができる。メモリ２０は、ＲＡＭ(Random Access Memory)又はＲＯＭ(Read Only Memory)により構成されている。
【００２４】
セルラー通信部５は、通信用アンテナ５Ａを介して基地局との間で電波の送受信を行うことにより、通話音の送受信を行っている。相手方電話機との間で通話を行う際には、相手方電話機との間で通信状態が確立された状態で、送話用マイクロホン８から入力されるユーザの音声信号がセルラー通信部５から送信されるとともに、相手方電話機からの音声信号がセルラー通信部５で受信され、その音声信号に基づく音声が受話用レシーバ６から出力される。
【００２５】
デジタルテレビ放送受信部２が受信するデジタルテレビ放送波は、一般のデジタルハイビジョン放送波の一定帯域に割り当てられた携帯電話機向けの１セグメント放送波であり、映像データ及び音声データに加えて、字幕データやデータ放送用データなどが含まれている。ここで、字幕データには、映像に対応する字幕の他に、字幕に関する制御情報などが含まれる。また、データ放送用データには、天気予報などの字幕以外の各種情報が含まれる。これらのデータは、データ種別ごとに複数のパケットに分割されることにより、いわゆるＴＳ(Transport Stream)パケットとして発信される。
【００２６】
デジタルテレビ放送受信部２にはチューナ（図示せず）が備えられており、ユーザが操作キー９を操作してチャンネルを選択することにより、そのチャンネルに対応するデジタルテレビ放送波から複数のＴＳパケットを抽出することができる。そして、抽出した複数のＴＳパケットをデータ種別ごとに結合することにより、映像データ、音声データ、字幕データ及びデータ放送用データなどの各種データを生成し、これらのデータに基づいて液晶表示器３の表示画面に画像を表示したり、スピーカ４又は外部出力装置１１から音声を出力したりすることができる。
【００２７】
図２は、制御部１０の一構成例を示した機能ブロック図である。制御部１０は、ＴＳパケット抽出部１１、ＰＭＴ抽出部１２、ＰＥＳ生成部１３、映像出力部１４、音声出力部１５、字幕出力部１６、データ放送出力部１７、字幕管理データ検出部１８及び表示制御部１９によって構成され、これらの各機能ブロックは、制御部１０が実行するコンピュータプログラムにより実現される。メモリ２０には、ＰＭＴ格納部２１及びＰＥＳ格納部２２が割り当てられている。
【００２８】
デジタルテレビ放送波には、各番組に対応付けて発信されるＰＭＴ(Program Map Table)が定期的に含まれている。このＰＭＴには、ＴＳパケットのデータ種別と、各データ種別に対応付けられた識別情報であるＰＩＤ(Packet Identifier)との対応関係が規定されている。ＰＭＴ抽出部１２は、ある番組のデジタルテレビ放送波を受信しているときに、テレビ局から定期的に発信される当該番組に対応するＰＭＴ２１Ａをデジタルテレビ放送波から抽出し、ＰＭＴ格納部２１に格納する。一般的に、ＰＭＴ２１Ａは２００ｍｓ〜５００ｍｓの周期で発信されている。
【００２９】
ＴＳパケット抽出部１１は、受信しているデジタルテレビ放送波から複数のＴＳパケットを抽出するパケット抽出手段である。ＴＳパケット抽出部１１で抽出された複数のＴＳパケットは、ＰＥＳ生成部１３でＰＩＤに基づいて分離され、データ種別ごとに結合される。このとき、ＰＥＳ生成部１３は、ＰＭＴ格納部２１に格納されているＰＭＴ２１Ａと各ＴＳパケットに含まれるＰＩＤとを比較することによりデータ種別を特定し、データ種別ごとにＴＳパケットを結合する結合データ生成手段として機能する。これにより、映像データ、音声データ、字幕データ又はデータ放送用データからなるパケットとして、いわゆるＰＥＳ(Packetized Elementary Stream)がデータ種別ごとに生成される。
【００３０】
ＰＥＳ生成部１３において生成された各データ種別のＰＥＳ２２Ａは、ＰＥＳ格納部２２に格納される。各ＰＥＳ２２Ａは、ＰＥＳヘッダ及びＰＥＳデータからなり、ＰＥＳデータとして映像データ、音声データ、字幕データ又はデータ放送用データが含まれている。ＰＥＳ格納部２２に格納されるＰＥＳ２２ＡのＰＥＳデータのうち、映像データは映像出力部１４、音声データは音声出力部１５、字幕データは字幕出力部１６、データ放送用データはデータ放送出力部１７によってそれぞれ読み出される。
【００３１】
映像出力部１４は、ＰＥＳ格納部２２から読み出した映像データに基づいて映像を出力し、表示制御部１９は、その映像を液晶表示器３の表示画面における映像表示領域に表示させる。字幕出力部１６は、ＰＥＳ格納部２２から読み出した字幕データに基づいて字幕を出力し、表示制御部１９は、その字幕を液晶表示器３の表示画面における字幕表示領域に表示させる。データ放送出力部１７は、ＰＥＳ格納部２２から読み出したデータ放送用データに基づいて画像を出力し、表示制御部１９は、その画像を液晶表示器３の表示画面におけるデータ放送表示領域に表示させる。一方、音声出力部１５は、ＰＥＳ格納部２２から読み出した音声データに基づいて、スピーカ４又は外部出力端子７へ音声を出力する。
【００３２】
字幕管理データ検出部１８は、字幕データに含まれる字幕に関する制御情報としての字幕管理データの有無を検出する制御情報検出手段である。字幕放送番組のデジタルテレビ放送波を受信しているときには、通常、ＰＥＳ生成部１３において字幕管理データが１５秒以内に１回の周期で定期的に生成される。この字幕管理データは、番組の途中でコマーシャルが放送される場合のように字幕が所定時間途切れる場合であっても、一定周期で定期的に生成される。したがって、字幕管理データ検出部１８は、ＰＥＳ生成部１３において１５秒程度の一定時間内に字幕管理データが生成されたかどうかに基づいて、字幕管理データの有無を検出することができる。このようにして字幕管理データの有無を検出することにより、受信しているデジタルテレビ放送波が字幕放送番組のものであるか否かを判断することができる。
【００３３】
字幕出力部１６は、字幕管理データ検出部１８の検出結果に基づいて字幕を出力する。すなわち、字幕管理データ検出部１８において字幕管理データが上記一定時間内に検出された場合には、受信中のデジタルテレビ放送波が字幕放送番組のものであると判断され、表示制御部１９へ字幕が出力される。一方、字幕管理データが上記一定時間内に検出されない場合には、受信中のデジタルテレビ放送波が字幕放送番組のものではないと判断され、字幕出力部１６による処理は行われないようになっている。
【００３４】
本実施の形態では、字幕データに定期的に含まれる字幕管理データの有無を検出し、その検出結果に基づいて字幕を出力することができる。したがって、字幕放送番組以外の番組のデジタルテレビ放送波を受信した場合には、字幕管理データが検出されないことに基づいて字幕を出力しないように制御することができ、当該デジタルテレビ放送波に字幕データが含まれていると誤判断するのを確実に防止できる。
【００３５】
図３は、ＴＳパケット２２Ｂに基づいてＰＥＳ２２Ａを生成する際の態様について説明するための図である。字幕放送番組のデジタルテレビ放送波を受信しているときには、図３に示すように、映像データ、音声データ及びデータ放送用データの各ＴＳパケット２２Ｂに加えて、字幕データのＴＳパケット２２Ｂが抽出され、それらのＴＳパケット２２ＢがＰＩＤに基づいてデータ種別ごとに結合されることにより、各データ種別のＰＥＳ２２Ａが生成される。
【００３６】
図３の例では、映像データに「ａ」、音声データに「ｂ」、字幕データに「ｃ」、データ放送用データに「ｄ」のＰＩＤがそれぞれ割り当てられており、連続的に抽出される複数のＴＳパケット２２ＢのうちＰＩＤが共通するＴＳパケット２２Ｂ同士を結合することにより、映像データ、音声データ、字幕データ及びデータ放送用データの各ＰＥＳ２２Ａを生成することができる。このようにして生成された各ＰＥＳ２２Ａには、ＰＥＳデータとして、映像データ、音声データ、字幕データ又はデータ放送用データが含まれるとともに、ＰＥＳヘッダとして、ＰＥＳデータの種類を表すグループＩＤなどが含まれる。
【００３７】
図４は、ＰＥＳ２２Ａの具体的内容を示した図であり、字幕データのＰＥＳ２２Ａの一例を示している。図４（ａ）の例では、ＰＥＳデータとして字幕管理データが担持されており、ＰＥＳヘッダにはグループＩＤとして「０ｘ２０」が担持されている。一方、図４（ｂ）の例では、ＰＥＳデータとして字幕の内容を表す字幕文データが担持されており、ＰＥＳヘッダにはグループＩＤとして「０ｘ２１」が担持されている。このように、字幕データのＰＥＳ２２Ａにおいて、ＰＥＳヘッダに含まれるグループＩＤは、そのＰＥＳ２２ＡにＰＥＳデータとして担持されている字幕データの種類を表している。
【００３８】
図４（ａ）の例では、字幕データとして、当該データの処理タイミングを規定している時刻制御モード（ＴＭＤ）、字幕の言語数及び言語の識別情報などからなる字幕管理データが担持されている。一方、図４（ｂ）の例では、字幕データとして、当該データの処理タイミングを規定している時刻制御モード（ＴＭＤ）及び字幕の内容などからなる字幕文データが担持されている。
【００３９】
図５は、デジタルテレビ放送波からＴＳパケット２２Ｂを抽出したときの制御部１０による処理の一例を示したフローチャートである。デジタルテレビ放送波からＴＳパケット２２Ｂが抽出されると、同番組のデジタルテレビ放送波から予め抽出されＰＭＴ格納部２１に格納されているＰＭＴ２１Ａに基づいて、そのＴＳパケット２２Ｂのデータ種別が特定される（ステップＳ１０１）。そして、同じデータ種別からなる複数のＴＳパケット２２Ｂが結合されることにより、映像データ、音声データ、字幕データ又はデータ放送用データからなるＰＥＳ２２Ａが生成される（ステップＳ１０２）。
【００４０】
このようにして生成されたＰＥＳ２２Ａが字幕管理データからなるものである場合には（ステップＳ１０３でＹｅｓ）、その字幕管理データに基づいて字幕に関する設定を行う処理が実行される（ステップＳ１０６）。一方、ＰＥＳ２２Ａが字幕管理データからなるものでない場合、すなわち、字幕データであっても字幕文データからなるものである場合や、字幕データ以外の映像データ、音声データ又はデータ放送用データからなる場合には（ステップＳ１０３でＮｏ）、字幕管理データが１５秒以内に生成されているかどうかが判断される（ステップＳ１０４）。
【００４１】
上記判断の結果、字幕管理データが１５秒以内に生成されている場合には（ステップＳ１０４でＮｏ）、生成されているＰＥＳ２２Ａに基づく処理がそのまま行われる（ステップＳ１０６）。すなわち、ＰＥＳ２２Ａが映像データからなるものであれば、その映像データに基づく映像が液晶表示器３の映像表示領域に表示され、字幕文データからなるものであれば、その字幕文データに基づく字幕が液晶表示器３の字幕表示領域に表示され、データ放送用データからなるものであれば、そのデータ放送用データに基づく画像が液晶表示器３のデータ放送表示領域に表示される。また、ＰＥＳ２２Ａが音声データからなるものであれば、その音声データに基づく音声がスピーカ４又は外部出力端子７へ出力される。
【００４２】
一方、字幕管理データが１５秒経過しても生成されていない場合には（ステップＳ１０４でＹｅｓ）、液晶表示器３の字幕表示領域がデータ放送表示領域に結合されて１つの結合データ放送表示領域とされた上で（ステップＳ１０５）、生成されたＰＥＳ２２Ａに基づく処理が行われる（ステップＳ１０６）。したがって、ＰＥＳ２２Ａがデータ放送用データからなるものである場合には、そのデータ放送用データに基づく画像が上記結合データ放送表示領域に表示される。
【００４３】
図６は、液晶表示器３の表示画面の表示例を示した図であり、（ａ）は字幕放送番組のデジタルテレビ放送波を受信している場合、（ｂ）は字幕放送番組以外の番組のデジタルテレビ放送波を受信している場合を示している。字幕放送番組のデジタルテレビ放送波を受信しているときには、図６（ａ）に示すように、液晶表示器３の表示画面に映像表示領域３１、字幕表示領域３２及びデータ放送表示領域３３が割り当てられる。映像表示領域３１は、長辺と短辺の比が１６：９の矩形領域を横長に配置することにより形成され、その長辺が液晶表示器３の表示画面の幅と一致している。上記のような映像表示領域３１の縦横比は、一般的なデジタルハイビジョン放送に用いられているＨＤＴＶ(High Definition Television)方式のアスペクト比と一致している。
【００４４】
一方、字幕放送番組以外の番組のデジタルテレビ放送波を受信しているときには、字幕管理データが一定時間以上生成されないことに基づいて、図６（ｂ）に示すように字幕表示領域３２がデータ放送表示領域３３に結合され、結合データ放送表示領域３４が生成される。これにより、字幕表示領域３２が非表示となり、データ放送表示領域３３よりも広い領域からなる結合データ放送表示領域３４にデータ放送用データに基づく画像が表示される。
【００４５】
本実施の形態では、字幕データに定期的に含まれる字幕管理データの有無を検出し、その検出結果に基づいて字幕表示領域３２をデータ放送表示領域３３に結合することにより、字幕以外の画像を字幕表示領域３２に表示させることができる。したがって、字幕放送番組以外の番組のデジタルテレビ放送波を受信した場合には、字幕以外の画像を字幕表示領域３２に表示させることにより、表示画面に対して効率よく表示を行うことができる。
【００４６】
特に、字幕表示領域３２及びデータ放送表示領域３３からなる結合データ放送表示領域３４にデータ放送用データに基づく画像を表示させることができる。したがって、字幕放送番組以外の番組のデジタルテレビ放送波を受信しているときには、データ放送表示領域３３だけでなく字幕表示領域３２も加えた結合データ放送表示領域３４にデータ放送用データに基づく画像が表示され、より広い領域に画像を表示することができる。
【００４７】
また、字幕表示領域３２に表示させる字幕の有無ではなく、字幕データに定期的に含まれる字幕管理データの有無の検出結果に基づいて、字幕以外の画像を字幕表示領域３２に表示させることができる。したがって、字幕放送番組の途中でコマーシャルが放送される場合のように、字幕が表示されない期間がある場合には、字幕管理データの有無の検出結果に基づいて、字幕表示領域３２に字幕以外の画像が表示されるのを防止できる。これにより、字幕が表示されない期間がある場合に、字幕表示領域３２が他の表示に一旦切り替わり、その期間が終了すると再び字幕表示領域３２に字幕が表示されるといったことがなく、表示画面が見づらくなるのを防止できる。
【００４８】
実施の形態２．
実施の形態１では、字幕表示領域３２がデータ放送表示領域３３に結合される構成について説明した。これに対して、実施の形態２では、字幕表示領域３２が映像表示領域３１に結合される点が異なっており、この点を除く他の構成は実施の形態１の場合と同様である。したがって、以下の説明において、実施の形態１と同様の構成については同一符号を用いて説明し、その詳細な説明を省略することとする。
【００４９】
図７は、本発明の実施の形態２による携帯情報端末装置の制御部１０がデジタルテレビ放送波からＴＳパケット２２Ｂを抽出したときに行う処理の一例を示したフローチャートである。また、図８は、液晶表示器３の表示画面の表示例を示した図であり、（ａ）は字幕放送番組のデジタルテレビ放送波を受信している場合、（ｂ）は字幕放送番組以外の番組のデジタルテレビ放送波を受信している場合を示している。図７に示すステップＳ２０１〜Ｓ２０４及びＳ２０６の処理は、図５に示した実施の形態１におけるステップＳ１０１〜Ｓ１０４及びＳ１０６の処理と同様である。
【００５０】
すなわち、デジタルテレビ放送波からＴＳパケット２２Ｂが抽出されると、実施の形態１と同様に、ＰＭＴ２１Ａに基づいてＴＳパケット２２Ｂのデータ種別が特定され（ステップＳ２０１）、同じデータ種別からなる複数のＴＳパケット２２Ｂが結合されることによりＰＥＳ２２Ａが生成される（ステップＳ２０２）。そして、ＰＥＳ２２Ａが字幕管理データからなる場合や（ステップＳ２０３でＹｅｓ）、字幕管理データ以外のＰＥＳ２２Ａであって、字幕管理データが１５秒以内に生成されている場合には（ステップＳ２０４でＮｏ）、当該ＰＥＳ２２Ａに基づく処理がそのまま行われる（ステップＳ２０６）。
【００５１】
一方、字幕管理データが１５秒経過しても生成されていない場合（ステップＳ２０４でＹｅｓ）、本実施の形態では、液晶表示器３の字幕表示領域３２が映像表示領域３１に結合されて１つの結合映像表示領域３５とされた上で（ステップＳ２０５）、生成されたＰＥＳ２２Ａに基づく処理が行われる（ステップＳ２０６）。したがって、ＰＥＳ２２Ａが映像データからなるものである場合には、その映像データに基づく映像が上記結合映像表示領域３５に表示される。
【００５２】
この例では、長辺と短辺の比が４：３の矩形領域を映像表示領域３１内に横長に形成し、この領域内に映像データに基づく映像を表示させることができるようになっている。この場合、図８（ａ）に示すように、上記矩形領域の短辺が映像表示領域３１の短辺と一致し、当該矩形領域の左右両側に映像が表示されない領域が形成される。上記矩形領域の縦横比は、いわゆるＳＤＴＶ(Standard Definition Television)方式のアスペクト比と一致している。このような構成の場合には、結合映像表示領域３５の長辺と短辺の比を４：３とすることにより、図８（ｂ）に示すように、結合映像表示領域３５全体に映像データに基づく映像を表示させることができる。
【００５３】
本実施の形態では、字幕放送番組以外の番組のデジタルテレビ放送波を受信した場合に、字幕管理データの有無の検出結果に基づいて、映像表示領域３１及び字幕表示領域３２からなる結合映像表示領域３５に映像データに基づく映像を表示させることができる。したがって、字幕放送番組以外の番組のデジタルテレビ放送波を受信しているときには、映像表示領域３１だけでなく字幕表示領域３２も加えた結合映像表示領域３５に映像データに基づく映像が表示され、より広い領域に映像を表示することができる。
【００５４】
以上の実施の形態では、字幕表示領域３２が映像表示領域３１又はデータ放送表示領域３３に結合されるような構成について説明したが、このような構成に限らず、映像表示領域３１又はデータ放送表示領域３３とは分離した字幕表示領域３２に対して、映像データに基づく映像又はデータ放送用データに基づく画像が表示されるようになっていてもよい。また、字幕放送番組以外の番組のデジタルテレビ放送波を受信しているときに、映像データに基づく映像又はデータ放送用データに基づく画像が字幕表示領域３２に表示されるような構成に限らず、字幕以外の他の画像が表示されるような構成であってもよい。
【００５５】
また、以上の実施の形態では、携帯情報端末装置の一例として携帯電話機１について説明したが、本発明は、携帯電話機１に限らず、携帯型のパーソナルコンピュータやＰＤＡ(Personal Digital Assistance)などの他の携帯情報端末装置にも適用可能である。
【図面の簡単な説明】
【００５６】
【図１】本発明の実施の形態１による携帯情報端末装置の一例を示したブロック図であり、携帯情報端末装置の一例として携帯電話機が示されている。
【図２】制御部の一構成例を示した機能ブロック図である。
【図３】ＴＳパケットに基づいてＰＥＳを生成する際の態様について説明するための図である。
【図４】ＰＥＳの具体的内容を示した図であり、字幕データのＰＥＳの一例を示している。
【図５】デジタルテレビ放送波からＴＳパケットを抽出したときの制御部による処理の一例を示したフローチャートである。
【図６】液晶表示器の表示画面の表示例を示した図であり、（ａ）は字幕放送番組のデジタルテレビ放送波を受信している場合、（ｂ）は字幕放送番組以外の番組のデジタルテレビ放送波を受信している場合を示している。
【図７】本発明の実施の形態２による携帯情報端末装置の制御部がデジタルテレビ放送波からＴＳパケットを抽出したときに行う処理の一例を示したフローチャートである。
【図８】液晶表示器の表示画面の表示例を示した図であり、（ａ）は字幕放送番組のデジタルテレビ放送波を受信している場合、（ｂ）は字幕放送番組以外の番組のデジタルテレビ放送波を受信している場合を示している。
【符号の説明】
【００５７】
１  携帯電話機
２  デジタルテレビ放送受信部
３  液晶表示器
１０  制御部
１１  ＴＳパケット抽出部
１２  ＰＭＴ抽出部
１３  ＰＥＳ生成部
１４  映像出力部
１５  音声出力部
１６  字幕出力部
１７  データ放送出力部
１８  字幕管理データ検出部
１９  表示制御部
２０  メモリ
２１  ＰＭＴ格納部
２２  ＰＥＳ格納部
２２Ａ  ＰＥＳ
２２Ｂ  ＴＳパケット
３１  映像表示領域
３２  字幕表示領域
３３  データ放送表示領域
３４  結合データ放送表示領域
３５  結合映像表示領域
【図１】
2008099053.tif 000003
【図２】
2008099053.tif 000004
【図３】
2008099053.tif 000005
【図４】
2008099053.tif 000006
【図５】
2008099053.tif 000007
【図６】
2008099053.tif 000008
【図７】
2008099053.tif 000009
【図８】
2008099053.tif 000010